(57)【要約】      （修正有）【課題】沖のポイントまで艇を用いて道糸を引いて仕掛けを沈落させる。【解決手段】潜水型艇のスクリューの下にサビキ釣りのこませ籠６をこませ籠室１４に入れてこませ籠支え板引き出しつまみ１３を持ってこませ籠６の下に引き出し、こませ籠室カバーを閉めたあとに、ハリスを持って艇の横面のハリス巻き３にハリス８の如く巻きつけたあと艇の下面の二ヶ所に取り付けているゴムを合成ゴム２の如く巻きつけて、そのゴムの先端についているリングを艇の片面の斜め上部に二ヶ所設けた合成ゴム引張り解放ノブ１５に掛け、艇を海に降し道糸を解放しながら引っ張って行かせ沖の釣りのポイントで合成ゴム引張り解放ノブ１５をスイッチＯＮにして艇内に引かせて合成ゴム２の引張りを解放させ仕掛けの錘７から沈落させ、ハリス巻きに巻かれたハリス８を脱落させる。次にやや遅らせてこませ籠６を自然沈落させる。【選択図】図１
2004254673.tif 000002
【特許請求の範囲】
【請求項１】
釣りに於けるラジコン遠隔操作によって、潜水艇型推進動力を用いて艇を海面進行又は潜水進行させて釣りのポイント至着後、完全防水の前進、Ｕターン、停止システムカプセル内に、釣りの仕掛けを沈落させるためのねらいポイント釣り仕掛け沈落装置を取りつける。その装置とは要易に脱落する程度のハリス巻きを艇の両横面に設け、巻かれたハリスがハリス巻きからはずれないように艇の前後左右下面に要易に取りはずし固着できる機能を持たせた適宜の引張り強度を持たせた合成ゴム板に、錘と合成ゴム引張り掛けリングを取り付けたそのリングを艇の前後左右の斜め上部に装置した合成ゴム引張り解放ノブに掛けて、ハリス巻きに巻きつけたハリスを合成ゴムの弾力で押えつけたあと、海面に降して浮かべ釣り仕掛け沈落ポイントに至着後、遠隔操作によって合成ゴム引張り解放ノブを作動させ引っ込める。この場合ゴムの引っ張り強度に要易に対応できるように、ノブに掛けるリングの内側にコロの原理からなるものを取り付けてもよい。そのリング掛けノブから解放された引っ張られた合成ゴムはハリスの押えを解放して錘の重力によって艇の下面に沈ませるようにするが、それによって順次仕掛けが錘から自然に沈落する。目的を果した艇は岸に着かせたあと艇の前方又は、後方上部に取り付けたフック掛けリングと一体となったその識別球は適宜の高さを持たせたものであるが、そのフック引っ掛けリングは岸からフックに掛けて岸の上に引き上げるためのものである。以上の上記のものは釣り鈎に餌を取り付けた場合の艇であるが、次に記すものはサビキ釣りのサビキ仕掛けのためのこませ籠を治める部屋を艇の後部スクリュー下面に設け、こませ籠の中に入れたこませ餌が籠から漏れないように縦方向の巾を調節できるようにし、その後その部屋をこませ籠室カバーで閉めるようにする。こませ籠の底面を支える板は、ポイント至着後遠隔操作によって艇の前方にスラストさせる仕組みを設け、スラストさせたあとこませ籠を自然に沈落させる。尚、サビキ仕掛け沈落方法は、上記の釣り鈎に餌を取り付けた場合と同様である。また艇を推進させる場合波が無い時は海面進行が可能であるが、その場合は潜水、平行、浮上調整錘を平行に保って推進させ、波があって艇が不安定となる場合は潜水進行させるべく調整錘を艇の前部に移動させ潜水進行を促し、艇の後部の上面に設けているフック掛けリングの中心上部から上へ伸びている上端の識別球をよく見て潜水の程度を計り、あとは平行進行させて釣りのポイントに至着させる。
【発明の詳細な説明】
【０００１】
【発明の属する技術分野】
本発明は、岸から沖に向って竿で投げ釣りをする釣りの形態を、ラジコン操作による潜水艇型の推進動力を用いて竿では届き得ない釣りのポイントへ持って行き仕掛けを沈落させるのであるが、そのためには艇の両横面に設けたハリス巻きに巻かれた仕掛けを、艇の左右の一方の下面に取付けた合成ゴムを引っ張ってそのゴムの先端にリングと錘を付けそのハリスを押える形にして艇の斜め上部に取り付けた合成ゴム引張り解放ノブに掛ける。艇を沖の釣りのポイントに持って行きノブを艇の内部に引いて、合成ゴムの引張りで押えられていた仕掛けを合成ゴムを解放することにより、錘から仕掛けへと自然に沈落させる。以上の上記の釣りは釣り鈎に餌をつけた方法であるが、もう一つの釣りの方法としてサビキ釣りの仕掛けにこませ籠があるが、艇の後部のスクリューの下部にこませ籠を入れる部屋を設け、その籠を支える底面を艇の前方に引くスペースと仕掛けを設けて釣りのポイント至着後、遠隔操作によってハリス押えの合成ゴムの引っ張りを解放したややあとに、その底面を前方に引かせこませ籠を自然に沈落させる。艇を岸に着かせたあと岸のある程度の高さに居ても艇に設えたフック掛け輪にフックをかけて引き上げるようにする。
【０００２】
【従来の技術】
従来は、ラジコンによる遠隔操作の潜水艇型の推進動力を用いて、仕掛けを沖の釣りの好ポイントに引かせて持って行きそこで沈落させる釣りの方法はなかった。
【０００３】
【発明が解決しようとする課題】
岸から沖に向って竿で遠投する釣りで、力不足のためポイントまで届かぬ場合や沖が好釣場であっても竿投入では届かない海岸が多いものである。この問題を解決すべくラジコン遠隔操作の潜水艇型推進動力を用いて、仕掛けをポイントまで持って行き釣りの仕掛けを沈落できるようになされたものである。
【０００４】
【課題を解決するための手段】
艇を海に入れる前に、潮の流れの方向を読み艇の両横面に設けられたハリス巻き図１の３のハリスを巻いて右横面にするか左横面にするか決め艇の下部に取り付けられている合成ゴム取りはずし自由部図２の８に合成ゴム２をそのままにするか抜いて右側点線部に持って行き合成ゴム取りはずし自由部８に取りつけ艇の左右のどちらかを上にして（透視図）こませ籠室図１の１４にこませ籠６を入れたあとこませ籠支え板引き出しつまみ１３をこませ籠６をスクリュー方向の上の壁に押し当てながらこませ籠支え板図３の３をこませ籠の支えとなるように艇の後方に引いたあとこませ籠室カバー図２の５を閉めたあとサビキ仕掛けをハリス巻き図１の３にハリス８を巻きつけ、合成ゴム図２の２の前と後を引っ張りながらハリス巻きに巻かれたハリス図１の８の状態にした合成ゴム２の如く艇に添わせながら合成ゴム引張り解放ノブ図２の７に合成ゴム２の合成ゴム引張り掛けリング４をかけハリス巻き図１の３に巻かれたハリス８が合成ゴム２で押える形でハリスの脱落を防ぐこととする。艇を釣りポイントまで進行させる場合、波が無い場合は海面進行とし波がある場合は潜水進入とするが潜行、平行、浮上は艇内に設けられた調整錘図３の２を移動させて達成させ、深く潜入しないようにフック掛けリング図２の６の中央上に伸びた識別球９を確かめ平行進行させる。ポイントに至着すると初めにハリス巻き図１の３に巻かれたハリス８を脱落防止で押えている合成ゴム２をはずすために、合成ゴム引張り解放ノブ図２の７を艇内に引っ込ませ合成ゴムに付けている錘３が艇の下部に沈んで行きつつハリス巻き図１の３に巻かれたハリス８が錘７の沈落と共に脱落して行かせることとなるが、合成ゴムの張りを解放してから適宜の間合を持って次に、こませ籠支え板図３の３をこませ籠支え板収納スペース４にこませ籠支え板引張り電気的スイッチ等６を作用させてスラストさせこませ籠図１の６を自然沈落させて目的を達成させる。着岸させて艇の上部に設けられたフック掛けリング図２の６にフックをかけて釣人が引き上げられるようにする。
【０００５】
【発明の実施の形態】
以下、発明の実施の形態について説明する。
（イ）艇の両横面のハリス巻き図１の３を設けそのハリス巻きの適宜の範囲内に、艇の前方左右下面後方左右下面に合成ゴム２を合成ゴム取りはずし自由部図２の８を設けそれに合成ゴムを認意で取り付け、左右どちらかのハリス巻き図１の３を斜め上にして（潜水艇バランス１のためにする）まず最初にこませ籠６をこませ籠室図３の５に入れて、こませ籠を上に押し当てながらこませ籠支え板引き出しつまみ図１の１３を指にかけて艇の後方に引いて、こませ籠室カバー図２の５を閉める。次にこませ籠のヨリ戻し以下をハリス巻き図１の３に巻きつけ合成ゴムを引っ張りながら合成ゴム引張り解放ノブ図２の７にかける。
（ロ）艇をフック掛けリング図２の６をフックで海に降し、波の無い場合は海面進行として潜水、平行、浮上調整錘図３の２を平行の位置の錘にして釣りのポイントに至着させる。波が有る場合は潜水進行とするが、その場合は潜水、平行、浮上調整錘図３の２を潜水にすべく艇の前方に移動させ潜入の深さはフック掛けリング図２の６の中間上部に伸びた所にある識別球９で計りその錘を艇の中央の平行進行に変えて釣りポイントに至着させる。
（ハ）釣りポイント至着後、合成ゴム引張り解放ノブ図１の１５又は図２の７を艇の内部に設けた電気的スイッチをＯＮに入れてそのノブを艇内に引き入れて合成ゴムの引っ張りを解放させて錘３の重力によって艇の下に沈ませると同時に仕掛けを脱落させるようにする。それに少し遅らせてこませ籠支え板引張り電気的スイッチ等図３の６をＯＮにして、こませ籠支え板３をこませ籠支え板収納スペース４に引き込ませ、こませ籠を自然沈落させる。尚、釣り鈎に餌を付けた艇を利用した釣りの場合は図４の艇の形態を用うるが、（ハ）の上記と機能は同じである。
【０００６】
【発明の効果】
従来の岸から沖に向って遠投する釣りの方法では深みの堤防以外では岸の近くは浅くだんだんと沖に向って深くなる場合が多く、力ある者が遠投すれば一例としてねらいの鰈がねらい通りに釣れて、力の無い者が遠投しても鰈のポイントに届かず価値のない赤ベラばかりが釣れるが、本発明品の方法で釣りが出来るとさまざまな魚の釣りの好ポイントがたくさん生づることによって格段の釣果が期待できるようになる。
【図面の簡単な説明】
【図１】本発明のサビキ釣り仕掛けを艇に装着した平面図である。（こませ籠装着部分のみ透視図）
【図２】本発明の艇のスクリューを正対とした後部の平面図である。
【図３】本発明の艇の透視の平面図である。
【図４】本発明の釣り鈎に餌を付けた仕掛けを艇に装着した平面図である。
【符号の説明】
【図１】
１  潜水艇バランス
２  合成ゴム
３  ハリス巻き
４  こませ籠支え板引張り電気的スイッチ等
５  こませ籠室カバー
６  こませ籠
７  錘
８  ハリス
９  サビキ鈎
１０  スクリュー
１１  フック掛けリング
１２  識別球
１３  こませ籠支え板引出しつまみ
１４  こませ籠室（透視図）
１５  合成ゴム引張り解放ノブ
【図２】
１  潜水艇バランス
２  合成ゴム
３  錘
４  合成ゴム引張り掛けリング
５  こませ籠カバー
６  フック掛けリング
７  合成ゴム引張り解放ノブ
８  合成ゴム取りはずし自由部
９  識別球
【図３】
１  合成ゴム引張り解放ノブ電気的スイッチ等
２  潜水、平行、浮上調整錘
３  こませ籠支え板
４  こませ籠支え板収納スペース
５  こませ籠室
６  こませ籠支え板引張り電気的スイッチ等
７  スクリュー
８  オイルタンク
９  フック掛リング
１０  識別球
【図４】
１  潜水艇バランス
２  合成ゴム
３  ハリス巻き
４  鈎
５  本虫
６  錘
７  スクリュー
８  フック掛けリング
９  識別球
１０  合成ゴム引張り解放ノブ
１１  ハリス
【図１】
2004254673.tif 000003
【図２】
2004254673.tif 000004
【図３】
2004254673.tif 000005
【図４】
2004254673.tif 000006